(57)【特許請求の範囲】
【請求項１】
ケーブルを被固定部材に固定するケーブル支持金具において、ケーブルを被固定部材に固定せしめる固定基体と、該固定基体上に重ねたケーブルを固定基体に固定せしめる重合固定体とを構成し、固定基体にて固定した既設のケーブルの上に追加のケーブルを重合して固定するように構成し、
前記重合固定体は、前記固定基体の一端部に開穿された係止孔に係脱自在に形成された係止片と、該係止片に連設され前記固定基体にて固定した既設のケーブル上の追加のケーブルを上から圧着せしめる圧着帯と、前記固定基体の他端部に連結係止せしめる連結部とを備え、
前記重合固定体の前記連結部側端部に解除用係止部を設け、該解除用係止部に工具の先端を係止して前記連結部の連結係止状態を解除するように構成したことを特徴とするケーブル支持金具。
【請求項２】
前記固定基体は、板状の被固定部材の端部を挟着する挟着固定部と、該挟着固定部上面に配置した前記ケーブルを押圧係止せしめる係止板とを備えたクリップ状を成す請求項１記載のケーブル支持金具。
【発明の詳細な説明】
【技術分野】
【０００１】
本発明は、例えばケーブルや配管等をパネルに固定する際に使用するケーブル支持金具に係り、特に、既設のケーブルの上に新たなケーブルを重ねて固定することができるケーブル支持金具に関するものである。
【背景技術】
【０００２】
従来、ケーブルや配管等の長尺体をパネルに固定する際に使用するクランプとして、例えば特許文献１に記載された長尺体保持具が提案されている。この保持体は、異なる外径のケーブルを揺動することなく保持することができるようにした保持具で、略平板状に形成された基板と、該基板と一体に形成されたロック部と保持帯を形成し、該保持帯には１箇所もしくは複数箇所の薄肉に形成されたヒンジを形成し、また、該ロック部には１箇所または複数箇所の係止凸部を形成し、かつ、該保持帯とロック部の間には略平板状の受け部を形成し、該受け部はその長手方向に、ロック部側の端からヒンジ側の端に向けて下方に傾斜をつけて形成したものである。
【０００３】
一方、太陽電池モジュールを支持する架台などでは、図７乃至図９に示すようなケーブル支持金具１００、２００が使用されている。これらの支持金具は、形鋼フランジなどのプレート端部を挟着する金属製の支持金具にケーブルを挟み込んで固定するものである。
【先行技術文献】
【特許文献】
【０００４】
【特許文献１】特開２０１０‐１９４０９号公報
【発明の概要】
【発明が解決しようとする課題】
【０００５】
特許文献１の長尺体保持具では、径の異なるケーブルや配管を同時に固定できるように構成されているが、ケーブルを固定した後は、同じ位置に新たなケーブルを追加して固定することは困難になる。例えば、形鋼フランジのプレート端部に配線する場合のように、限られたスペースに配線や配管を設置する場合、特許文献１のケーブル保持具で設置すると、構造上、同じスペースに追加の配線や配管を重ねて設置することができなくなる。そのため、追加の配線等は、予め設置した保持具に隣接するように設置することになるが、隣接位置に配線用のスペースがない場合は追加の配線等を設置することはできない。しかも、特許文献１の保持具は、合成樹脂にて成形する必要があるため、屋外や紫外線の当る場所での使用は、耐久性に問題が生じる。
【０００６】
一方、図７乃至図９に示す従来の支持金具では、プレート端部に沿ってケーブルを固定するものである。このタイプの支持金具もケーブルを固定した後は、同じ位置に新たなケーブルを追加して強固に固定することは困難であった。これら従来の支持金具が特許文献１の保持具と異なるのは、支持金具の上に追加のケーブルを重ねて設置できる平坦な構造にある。そのため、例えば太陽電池モジュールを支持する架台などのように、多くのケーブルを同じ位置に固定する場合、従来の支持金具で固定したケーブルに追加のケーブルを重ね、当該ケーブルと追加のケーブルとをナイロンバンド等の紐状部材にて括り付ける手段が採られている。
【０００７】
ところが、既設のケーブルに追加のケーブルをナイロンバンド等で括り付けると、既設のケーブルに追加ケーブルの負荷が加わることになるので、ナイロンバンドの接触部分などに損傷が生じるおそれがあった。しかも、ナイロンバンド等は、経年変化や紫外線による劣化で、使用時に破断する可能性もある。
【０００８】
そこで、本発明は上述の課題を解消すべく創出されたもので、固定位置が制限されている場所でも追加ケーブル等を重ねて設置し強固に固定することが可能なケーブル支持金具の提供を目的とするものである。
【課題を解決するための手段】
【０００９】
上述の目的を達成すべく本発明における第１の手段は、ケーブルＰを被固定部材Ｑに固定するケーブル支持金具において、ケーブルＰを被固定部材Ｑに固定せしめる固定基体１０と、該固定基体１０上に重ねたケーブルＰを固定基体１０に固定せしめる重合固定体２０とを構成し、固定基体１０にて固定した既設のケーブルＰの上に追加のケーブルＰを重合して固定するように構成し、前記重合固定体２０は、前記固定基体１０の一端部に開穿された係止孔１３に係脱自在に形成された係止片２１と、該係止片２１に連設され前記固定基体１０にて固定した既設のケーブルＰ上の追加のケーブルＰを上から圧着せしめる圧着帯２２と、前記固定基体１０の他端部に連結係止せしめる連結部２３とを備え、前記重合固定体２０の前記連結部２３側端部に解除用係止部２４を設け、該解除用係止部２４に工具の先端を係止して前記連結部２３の連結係止状態を解除するように構成したことにある。
【００１０】
第２の手段において、前記固定基体１０は、板状の被固定部材Ｑの端部を挟着する挟着固定部１１と、該挟着固定部１１上面に配置した前記ケーブルＰを押圧係止せしめる係止板１２とを備えたクリップ状を成すものである。
【発明の効果】
【００１３】
本発明の請求項１によると、ケーブルＰを被固定部材Ｑに固定せしめる固定基体１０と、該固定基体１０に重ねたケーブルＰを固定基体１０に固定せしめる重合固定体２０とを構成し、固定基体１０にて固定した既設のケーブルＰの上に追加のケーブルＰを重合して固定するように構成したことにより、固定位置が制限されている場所でもケーブル等を追加して確実に固定することができる。
また、重合固定体２０は、前記固定基体１０の一端部に開穿された係止孔１３に係脱自在に形成された係止片２１と、該係止片２１に連設され前記固定基体１０にて固定した既設のケーブルＰ上の追加のケーブルＰを上から圧着せしめる圧着帯２２と、前記固定基体１０の他端部に連結係止せしめる連結部２３とを備えているので、係止片２１を係止孔１３に係止した状態でケーブルＰを圧着帯２２で圧着し、連結部２３をアンカー構成体１０の他端部に連結係止するだけの操作で追加のケーブルＰを固定することができる。したがって、ケーブルＰの固定作業がきわめて容易になり、ケーブルＰに沿った多数の固定作業も合理的に行うことができる。
しかも、重合固定体２０の前記連結部２３側端部に解除用係止部２４を設け、該解除用係止部２４に工具の先端を係止して前記連結部２３の連結係止状態を解除するように構成したことで、追加のケーブルＰを架け替えることも可能になる。この結果、より多彩な工事に使用することができる。
【００１４】
請求項２のごとく、固定基体１０は、板状の被固定部材Ｑの端部を挟着する挟着固定部１１と、該挟着固定部１１上面に配置した前記ケーブルＰを押圧係止せしめる係止板１２とを備えたクリップ状を成しているので、例えば形鋼のリブなどに沿った固定やパネル状の被固定部材Ｑへの固定をワンタッチで行うことができる。しかも、この形状の固定基体１０は、市販の支持金具として流通しており、これら市販の支持金具を固定基体１０として使用することも可能である。
【図面の簡単な説明】
【００１７】
【図１】本発明の一実施例を示す分解斜視図である。
【図２】本発明の使用状態を示す側断面図である。
【図３】本発明の重合固定体の一実施例を示す側面図である。
【図４】本発明の重合固定体の一実施例を示す平面図である。
【図５】本発明の重合固定体の一実施例を示す底面図である。
【図６】（イ）〜（ハ）は本発明の重合固定体の他の実施例を示す側面図である。
【図７】従来の支持金具を示す使用斜視図である。
【図８】従来の支持金具を示す分解斜視図である。
【図９】従来の支持金具を示す使用斜視図である。
【発明を実施するための形態】
【００１８】
本発明によると、既設のケーブルの上に新たな追加ケーブルを重ねて固定することで、固定位置が制限されている場所でもケーブルを追加して固定することが可能になるなどといった当初の目的を達成した。
【実施例】
【００１９】
以下、本発明の実施例を説明する。本発明クランプは、配線用のケーブルＰを、アングル材のフランジ等のごとき板状の被固定部材Ｑに固定するもので、固定基体１０と重合固定体２０とで構成されている（図１参照）。
【００２０】
固定基体１０は、ケーブルＰを被固定部材Ｑに固定せしめる部材で、この固定基体１０にて、被固定部材ＱにケーブルＰを直接固定する（図１参照）。図示例の固定基体１０は、金属製のクリップ状を成したもので、挟着固定部１１と係止板１２とで構成されている（図２参照）。
【００２１】
挟着固定部１１は、板状の被固定部材Ｑの端部を挟着する帯状の部材であり、側面略Ｕ字形状に屈曲されている（図２参照）。そして、この挟着固定部１１を被固定部材Ｑの板面に強固に固定するため、挟着固定部１１の先端部を折り返して係止突片１４を形成している。一方、係止板１２は、この挟着固定部１１の端部から延長形成された帯状の部材であり、挟着固定部１１と反対向きの側面略Ｕ字形状に屈曲されている。そして、被固定部材Ｑに固定した挟着固定部１１上面に、ケーブルＰを配置し、このケーブルＰを係止板１２が押圧係止せしめるものである。
【００２２】
この固定基体１０は、既に市販されている支持金具を利用することができる。例えば、図７乃至図９に示す従来の支持金具を本発明の固定基体１０として利用することが可能である。本発明の図示例では、図７に示すタイプの支持金具１００を本発明の固定基体１０として利用したものである。
【００２３】
また、図８、図９に示すタイプの支持金具２００を本発明の固定基体１０として利用した場合は、被固定部材Ｐに固定する台座金具２１０の圧接体２１１と被固定部材Ｑとの間に、異なった方向から係止金具２２０の差込板２２１を差し込み固定することができる（図８参照）。この結果、固定するケーブルＰの向きを変更可能な支持金具２００を固定基体１０として使用することができる。
【００２４】
このように、挟着固定部１１の構成は図示例に限られるものではなく、例えば、被固定部材Ｑに開穿した連結孔に差込固定するタイプの固定部に変更することも可能である（図示せず）。
【００２５】
重合固定体２０は、固定基体１０に重ねるケーブルＰを固定基体１０に固定せしめる部材である（図１参照）。すなわち、この重合固定体２０は、固定基体１０にて固定した既設のケーブルＰの上に、追加のケーブルＰを重合して固定するものである。図示例では、金属製の帯板を屈曲成形した係止片２１と圧着帯２２と連結部２３とで構成されている（図２参照）。重合固定体２０に金属材を使用することにより、合成樹脂材に比べて格段に高い耐久性、耐候性、耐磨耗性などが得られるので、例えば太陽電池モジュールを支持する架台などのように、屋外等の使用も可能になる。
【００２６】
係止片２１は、固定基体１０の一端部に開穿されている係止孔１３に係脱自在に係止せしめる部材である（図２参照）。この係止片２１は略矩形状に突出して上向きに屈曲され、係止孔１３の上から下に向けて挿入係止するものである（図２参照）。圧着帯２２は、係止片２１に連設された帯状の部材であり、固定基体１０にて固定した既設のケーブルＰ上に重ねた追加のケーブルＰを上から圧着するように構成している（図２参照）。そして、係止片２１を係止孔１３に係止した状態で圧着帯２２の弾性力を利用してケーブルＰを押さえ付けている。
【００２７】
図示の圧着帯２２には、ケーブルＰの長手方向に沿って各ケーブルＰの側面に沿った密着凹部２２Ａや（図３参照）、圧着帯２２の強度を高める補強リブ２２Ｂを形成している（図４参照）。この圧着帯２２を固定基体１０の他端部に連結係止するのが連結部２３である。図示の連結部２３は、固定基体１０の挟着固定部１１と係止板１２との境界部分の端部に嵌合係止する側面略円弧形状に屈曲されている（図２参照）。また、連結部２３の係止力を高めるために、連結部２３の先端左右に一対の係止爪２５を突設し、固定基体１０がわに向けて屈曲している（図２参照）。この係止爪２５によって固定基体１０の端部曲面に多少の変化があっても確実に連結できるようにしている。
【００２８】
さらに、この連結部２３の近傍上部に解除用係止部２４を設けている（図４参照）。図示の解除用係止部２４は、固定基体１０の係止孔１３と同様の孔状に開穿したもので、この解除用係止部２４に、ドライバーなどの工具（図示せず）の先端を挿入係止して連結部２３の連結状態を解除できるようにしたものである。
【００２９】
尚、本発明クランプの各構成は図示例に限られるものではない。例えば、図６（イ）乃至（ハ）は、本発明の重合固定体２０の他の実施例を示している。同図（イ）は、圧着帯２２において、密着凹部２２Ａを形成せずにフラット状の圧着帯２２を形成した例を示している。また同図（ロ）は、圧着帯２２の側面形状が大きく湾曲した例を示す。更に、同図（ハ）は、密着凹部２２Ａの数を少なくした例を示している。このように、本発明クランプの固定基体１０や重合固定体２０の形状や寸法、材質などは実施例に限られるものではなく、本発明の要旨を変更しない範囲内において自由に設計変更できるものである。
【産業上の利用可能性】
【００３０】
本発明支持具は、ケーブルＰを重ねて固定する構成に利用するあらゆる場面に利用することが可能であり、用途によってサイズや材質を自由に変更することができる。また、ケーブルＰに代えて配管などを固定することも可能である。
【符号の説明】
【００３１】
Ｐ  ケーブル
Ｑ  被固定部材
１０  固定基体
１１  挟着固定部
１２  係止板
１３  係止孔
１４  係止突片
２０  重合固定体
２１  係止片
２２  圧着帯
２２Ａ  密着凹部
２２Ｂ  補強リブ
２３  連結部
２４  解除用係止部
２５  係止爪
１００  支持金具
２００  支持金具
２１０  台座金具
２１１  圧接体
２２０  係止金具
２２１  差込板
【図１】
0005252357.tif 000002
【図２】
0005252357.tif 000003
【図３】
0005252357.tif 000004
【図４】
0005252357.tif 000005
【図５】
0005252357.tif 000006
【図６】
0005252357.tif 000007
【図７】
0005252357.tif 000008
【図８】
0005252357.tif 000009
【図９】
0005252357.tif 000010